(57)【要約】【課題】次の紙が出てくるトイレットペーパーホルダーを、バネ・歯車・モーター等を使わずに、ロール紙取替えに煩雑さを伴はず、かつ一般的な従来からのトイレットペーパーホルダーの操作、使用方法で提供する。【解決手段】トイレットペーパーホルダーを外枠と可動するロール紙受け部と紙切板三体に分け、ロール紙受け部と紙切板は回転軸にて外枠に装着され、一般的市販のホルダー芯を使って、手で紙切板を押さえると、ロール紙受け部が仰け反り動き、ロール紙を切り離して、手を放すとロール紙受け部・ロール紙・ホルダー芯の自重で紙切板を押し上げながらストッパーの位置まで戻り、指の入る間隔を紙切板先端刃先とロール紙との間に保ち、ロール紙切り離し先端を垂らして、次の紙の出ている状態にする。【選択図】      図１
2009101144.tif 000002
【特許請求の範囲】
【請求項１】
紙切板（図−２のB）を手で押し、ロール紙を切り取る際、紙切板の取り付け部（図−２のA）をカム駆動軸として紙切り板がロール紙受け部（図−２のD）（図―３のD）が、紙切板下側に取り付けられたカム（図―２のG）（図−３のG）によってロール紙受け部上部面（図―２のH）（図−３のH）を接触子として押し、紙切板の下側面（図―３のL）を、ロール紙受け上端部（図−２のE）（図―３のE）を接触子として滑りながら仰け反り図―４の状態まで動きます。ロール紙が切り取られ、紙切板が手から放された時、ロール紙受け部とロール紙、ホルダー芯の自重で、ロール紙受け部取り付け元（図−２のC）（図―３のC）をカム駆動軸として、紙切板をストッパー（図−２のF）（図―３のF）の位置まで押し上げ戻る特徴を持った往復カム機構。
【請求項２】
紙切板（図−２のB）が「請求項１」の手から放されストッパー（図−２のF）（図―３のF）位置までロール紙に接触せずに戻りロール紙切り離し先端（図３のP）を垂らした状態で戻り次の紙を摘みやすくする特徴を持つトイレットペーパーホルダー。
【請求項３】
紙切板（図−２のB）が「請求項１」の手から放されストッパー（図−２のF）（図―３のF）位置まで戻るときロール紙と紙切板先端刃先との間隔（図３のI）を保つ特徴を持つトイレットペーパーホルダー。
【請求項４】
ロール紙受け部（図−２のD）（図―３のD）が「請求項１」の紙切板（図−２のB）（図―３のB）が手で押され、従節のロール受け部が押され仰け反らされる時にロール紙受け上部面（図−２のH）（図―３のH）を接触子として押し、ロール紙受け部を動かすきっかけとなるカム（図−２のG）が装着された特徴を持つ紙切板を持つトイレットペーパーホルダー。
【請求項５】
「請求項１」での往復カム機構の動きを作り出す「請求項３」の紙切板に取り付けられたカムとロール紙受け上部面（図―２のH）（図―３のH）の、動きに加え、紙切板下側面（図―３のL）とロール紙受け上端部（図―２のE）（図―３のE）の動きの二箇所でロール紙が使用されるごとに大径から小径に変化して行く時、手で押さえる力加減とロール紙受け部が仰け反って行く動きでの過不足を補完しながら、対応する特徴を持つトイレットペーパーホルダー。
【請求項６】
（図７）（図８）（図９）の上側ローラ（図―５のＲ）と上側ローラよりも重くΩ型の形状の下側ローラ（図―５のＵ）を連結板（図―５のＴ）と軸（図―５のＳ）とで挿みつないだ形状のホルダー芯。
【請求項７】
「請求項６」のホルダー芯を回転させる軸押さえ（図―５のＱ）の装着された紙切板。
【発明の詳細な説明】
【技術分野】
【０００１】
本発明は、芯なし、芯有りを問わずに何度使用しても次の紙の取り口が出てくる、トイレットペーパーホルダーに関するものである。
【背景技術】
【０００２】
ロール紙トイレットペーパーを使用する際、取り口を引き出し、切り取り使用後、次の紙の先端を引き出す際、紙切板を持ち上げ抓みだすか、ロール紙を手で回し送り出さなければ次の使用は出来ませんでした。
【０００３】
それと、芯有りロール紙で、ホルダー芯の外径よりもロール芯の内径が大きいため、紙切板を押さえたとき紙切板先端刃先がロール紙重心真上よりも前方（ロール紙引き出し側）にあるために、ロール紙がホルダー奥側に振り押され、ロール紙が切り取られ紙切板から手が放されたとき、振り押されたロール紙が開放され戻るとき紙切板先端刃先（ロール紙引き出し側）の反対側に回転してしまう現象により、ロール紙きり離し先端が紙切板刃先より奥に入ってしまい、そのままでは引き出せなくなります。
【特許文献１】特開２００６−１１６２７６号公報
【発明の開示】
【発明が解決しようとする課題】
【０００４】
解決しようとする問題点は、紙切板を押さえロール紙を切り離す時以外、紙切板をロール紙と接触させない。
【０００５】
それと、従来のトイレットペーパーホルダーの使用方法、それでのトイレットペーパーロール紙の取替え方法、使用習慣で操作、使用出来る事。
【課題を解決するための手段】
【０００６】
ロール紙を切り取る際に、紙切板を押さえる力と、ロール紙受け部・ロール紙・ホルダー芯の自重を使うことを主要な特徴とする。
【発明の効果】
【０００７】
本発明のトイレットペーパーホルダーは、次の紙がロール紙と紙切板先端刃先との間に指の入る間隔保って出てくるトイレットペーパーホルダーで、より使いやすく、前に使用した人がロール紙を触りすぎる不衛生を感じさせず、そして、それは今までのトイレットペーパーホルダーの使用習慣と操作方法を変えることなく提供できます。また次の紙を出す動作は、バネ・歯車・モーター等を使うことなく一体成型の出来る三体と市販のホルダー芯で実現できます。      
【発明を実施するための最良の形態】
【０００８】
ホルダー本体を外枠（図−２のK）（図―３のK）と可動するロール紙受け部（図−２のD）（図―３のK）に分けて、紙切板（断面図のB）の三体で動作する、カム往復機構とした。
【実施例１】
【０００９】
図１は、本発明の装置の実施例の斜視図です、図２は図１の透視図で装置の構成は、紙切板（図２のB）、ロール紙受け部（図２のD）、外枠（図２のK）に大別され。紙切板は外枠に紙切板回転軸（図２のA）で装着されます。ロール紙受け部は外枠にロール紙受け部回転軸（図２のC）にて装着します。そのロール紙受け部にロール芯（図２のM）をロール紙に通し装着して使用できる形となります。
【００１０】
一般的なトイレットペーパーホルダーで従来からの使用方法で紙切板を片手で押さえ、もう片方の手で引き出したロール紙を切り離す際、紙切板を押さえた時、カム取り付け面（図３のO）に取り付けられたカム（図２のG）（図３のG）がロール紙上部面（図２のH）（図３のH）を接触子として押しはじめ、紙切板下側面（図３のL）もロール紙受け上部（図２のE）（図３のE）を接触子として押します。
【００１１】
これらの二つが、紙切板回転軸を回転軸として紙切板を手で押さえる力によりロール紙受け部がロール受け部回転軸（図２のC）（図３のC）を回転軸として、仰け反り動かされ図４の状態になります。
【００１２】
加えてこれらの二つは、ロール紙が使用されるごとに大径から小径に変化して行く時、手で押さえる力加減とロール紙受け部が仰け反って行く動きでの過不足を補完し合い滑らかにします。
【００１３】
図４の状態、一般的従来の習慣の作業の片手で紙切板を押さえ、もう片方の手で引き出したロール紙を切り離し、手が紙切板から放されたときロール受け部回転軸（図２のC）（図３のC）を回転軸としてロール紙受け部（図２のD）（図３のD）を、ロール紙受け上部（図２のE）（図３のE）がロール紙・ロール芯・ロール受け部の自重により（紙切板下側面図３のL）を、ロール紙上部面がカム（図２のG）（図３のG）を接触子として紙切板を押して、上げ戻します。
【００１４】
その際に従来の芯有りロール紙で、ロール紙芯内径がホルダー芯の外径よりも大きい為に、紙切板を手で押し当てたときロール紙重心がホルダー奥側に振り押され、ロール紙が切り取られ紙切板から手が放されたとき、紙切板先端刃先（引き出し側）の反対側に回転してしまう現象により、ロール紙きり離し先端が紙切板刃先より奥に入ってしまい、そのままでは引き出せなくなる現象は起きずに、ロール紙切り離し先端（図３のP）を垂らした状態で戻ります。
【００１５】
その状態は紙切板先端刃先（図３のJ）とロール紙（図３のN）との間に指の入る間隔（図３のI）を保ち、ロール紙が使用されるごとに大径から小径に成るに反比例して間隔は大きくなり、従来のトイラットペーパーホルダーでのロール紙が小さくなると使いづらい問題はおきません。
【００１６】
より効果を高めるため［０００６］［０００７］での市販のホルダー芯の代わり
に、専用軸（図―７）（図―８）（図―９）を使い、紙切板（図−２のＢ）に軸押さえ（図―５のＱ）を取り付ける。
【００１７】
その働きは（図―５）の紙切板の上がった状態から（図―６）の紙切板の押し
下がった状態になるとき軸押さえ（図―５のＱ）が軸（図―５のＳ）をロール紙引き出し反対側に回転させ、（図―５）の紙切板の上がった状態に戻るとロール紙引き出し側にロール紙を回転させ紙切板先端よりも下側に切り口を垂れ止まります。
【００１８】
軸（図―５のＳ）の、軸押さえ（図―５のＱ）によりロール紙引き出し反対側に回転し開放されたとき戻る動きを確実にするため、軸は（図―７）（図―８）（図―９）の上側ローラと、それよりも重い下部に重心の有るΩ型の下側ローラを連結板（図―５のＴ）で挿みつないだ形状とします。下側ローラの出っ張りはロール紙引き出し反対側に回転した時、連結板（図―５のＴ）に当り軸の重心がロール紙引き出し側に残る働きをします。  
【図面の簡単な説明】
【００１９】
【図１】本発明の斜視図である。
【図２】本発明の透視斜視図である。
【図３】本発明の断面図である。
【図４】本発明の断面図である。
【図５】本発明の軸断面図である。
【図６】本発明の軸断面図である。
【図７】本発明の軸正面図である。
【図８】本発明の軸背面図である。
【図９】本発明の軸側面図である。
【符号の説明】
【００２０】
A  紙切板回転軸
B  紙切板
C  ロール紙受け部回転軸
D  ロール紙受け部
E  ロール紙上部
F  ストッパー
G  カム
H    ロール紙上部面
I  間隔
J  紙切板先端刃先  
K  外枠
L  紙切板下側面
M  ホルダー芯
N  ロール紙
O  カム取り付け面
P  ロール紙切り離し先端
Ｑ  軸押さえ
Ｒ  上側ローラ
Ｓ  下側ローラ
Ｔ  軸
Ｕ  連結板
【図１】
2009101144.tif 000003
【図２】
2009101144.tif 000004
【図３】
2009101144.tif 000005
【図４】
2009101144.tif 000006
【図５】
2009101144.tif 000007
【図６】
2009101144.tif 000008
【図７】
2009101144.tif 000009
【図８】
2009101144.tif 000010
【図９】
2009101144.tif 000011